(57)【特許請求の範囲】
【請求項１】
一つの基地局と複数の端末局とがＯＦＤＭＡ方式により１：Ｎ（Ｎは２以上の自然数）
接続可能な無線通信システムであって、
前記基地局の無線通信装置は、前記端末局ごとにフレームを割り当て、前記端末局から
の信号を受信する際の受信ＡＧＣのゲイン値をフレーム単位で設定する制御部を備え、
前記制御部は、Initial Ranging領域においては前記受信ＡＧＣをフルゲインで待ち受
け、接続済み前記端末局からの受信電力にかかわらず、未接続の前記端末局からのInitia
l Ranging Codeに対し前記受信ＡＧＣを行うことを特徴とする
ことを特徴とする無線通信システム。
【請求項２】
一つの基地局と複数の端末局とがＯＦＤＭＡ方式により１：Ｎ（Ｎは２以上の自然数）
接続可能な無線通信システムであって、
前記基地局の無線通信装置は、前記端末局ごとにフレームを割り当て、前記端末局から
の信号を受信する際の受信ＡＧＣのゲイン値をフレーム単位で設定する制御部を備え、
前記制御部は、前記基地局に接続している前記端末局がデータ通信を行わず、データ通
信を行っていない前記端末局に対しデータ通信用の帯域を割り当てていない場合、Period
ic/BR Ranging領域については、前記端末局に対して固有に割り当てた前記フレームでPer
iodic Ranging Codeに対し前記受信ＡＧＣを行う
ことを特徴とする無線通信システム。
【請求項３】
一つの基地局と複数の端末局とがＯＦＤＭＡ方式により１：Ｎ（Ｎは２以上の自然数）
接続可能な無線通信システムであって、
前記基地局の無線通信装置は、前記端末局ごとにフレームを割り当て、前記端末局から
の信号を受信する際の受信ＡＧＣのゲイン値をフレーム単位で設定する制御部を備え、
前記制御部は、前記基地局に対し複数の端末局が接続している状態で、接続しているそ
れぞれの前記端末局に対する前記受信ＡＧＣの前記ゲイン値の最大幅が、前記端末局の送
信電力制御ダイナミックレンジより小さい場合、前記受信ＡＧＣの前記ゲイン値を接続し
ている前記端末局中最大の値を全ての前記フレームでの固定値として設定し、本来それぞ
れの前記端末局に設定するはずの前記受信ＡＧＣの前記ゲイン値と前記固定値との差分を
、前記端末局の送信電力制御値に反映させる
ことを特徴とする無線通信システム。
【請求項４】
前記制御部は、接続した前記端末局に対して割り当てたフレームのタイミングを、バー
ストデータ中に定義して送信するよう制御することを特徴とする請求項１に記載の無線通
信システム。
【請求項５】
基地局として、複数の端末局とＯＦＤＭＡ方式により１：Ｎ（Ｎは２以上の自然数）接
続可能な無線通信装置であって、
前記端末局ごとにフレームを割り当て、前記端末局からの信号を受信する際の受信ＡＧ
Ｃのゲイン値をフレーム単位で設定する制御部を備え、
前記制御部は、Initial Ranging領域においては前記受信ＡＧＣをフルゲインで待ち受
け、接続済み前記端末局からの受信電力にかかわらず、未接続の前記端末局からのInitia
l Ranging Codeに対し受信ＡＧＣを行う
ことを特徴とする無線通信装置。
【請求項６】
基地局として、複数の端末局とＯＦＤＭＡ方式により１：Ｎ（Ｎは２以上の自然数）接
続可能な無線通信装置であって、
前記端末局ごとにフレームを割り当て、前記端末局からの信号を受信する際の受信ＡＧ
Ｃのゲイン値をフレーム単位で設定する制御部を備え、
前記制御部は、前記基地局に接続している前記端末局がデータ通信を行わず、データ通
信を行っていない前記端末局に対しデータ通信用の帯域を割り当てていない場合、Period
ic/BR Ranging領域については、前記端末局に対して固有に割り当てた前記フレームでPer
iodic Ranging Codeに対し前記受信ＡＧＣを行う
ことを特徴とする無線通信装置。
【請求項７】
基地局として、複数の端末局とＯＦＤＭＡ方式により１：Ｎ（Ｎは２以上の自然数）接
続可能な無線通信装置であって、
前記端末局ごとにフレームを割り当て、前記端末局からの信号を受信する際の受信ＡＧ
Ｃのゲイン値をフレーム単位で設定する制御部を備え、
前記制御部は、前記基地局に対し複数の端末局が接続している状態で、接続しているそ
れぞれの前記端末局に対する前記受信ＡＧＣの前記ゲイン値の最大幅が、前記端末局の送
信電力制御ダイナミックレンジより小さい場合、前記受信ＡＧＣの前記ゲイン値を接続し
ている前記端末局中最大の値を全てのフレームでの固定値として設定し、本来それぞれの
前記端末局に設定するはずの前記受信ＡＧＣの前記ゲイン値と前記固定値との差分を、前
記端末局の送信電力制御値に反映させる
ことを特徴とする無線通信装置。
【発明の詳細な説明】
【技術分野】
【０００１】
本発明は、無線通信装置および無線通信システムに係り、例えば、ＯＦＤＭＡ方式の無線通信装置および無線通信システムに関する。
【背景技術】
【０００２】
ＯＦＤＭＡ（Orthogonal Frequency Division Multiplex：直交周波数分割多重）方式の無線システムにおいて、基地局（ＢＳ）に対し複数の端末局（ＭＳ）が接続する１：Ｎ接続の通信制御技術がある（例えば特許文献１参照）。【０００３】
図５はＯＦＤＭＡ方式の一般的な無線通信装置１１０（基地局側）の無線受信ブロック図を示す。図６はＯＦＤＭＡ方式の一般的なフレーム構成図を示す。無線通信装置１１０は、アンテナ１１５、ＲＦ部１２０、ベースバンド部１３０を備える。ＲＦ部１２０は、ＬＰＦ１２１（ローパスフィルタ）、ＡＴＴ／ＡＭＰ１２２、ＢＰＦ１２３（バンドパスフィルタ）を備える。ベースバンド部１３０は、ＡＤＣ１３２、受信電力算出部１３６、ＡＧＣゲイン算出部１３５を備える。【０００４】
ＡＧＣゲイン算出部１３５は、フレームのデータバースト（Data Burst）領域の受信電力からＡＧＣゲイン値を算出し、ＲＦ部１２０のＡＴＴ／ＡＭＰ１２２へ伝達する。ＡＴＴ／ＡＭＰ１２２は、そのＡＧＣゲイン値をもとに受信ゲインを制御する。【０００５】
１：Ｎ接続の状態では、フレーム構成は、図６のようにフレーム内で複数のData Burstが割り当てられる。基地局と各端末局の距離は様々であり、基地局にとって端末局からの受信電力に差が生じるため、基地局の受信ＡＧＣは適切な制御ができなくなる。このため、一般的に１：Ｎ接続時には基地局（ＢＳ）の受信ＡＧＣゲイン値は固定値とし、端末局が送信電力制御を行っている。
【先行技術文献】
【特許文献】
【０００６】
【特許文献１】特開２００８−１７７９６９号公報
【発明の開示】
【発明が解決しようとする課題】
【０００７】
ところで、受信ＡＧＣゲイン値を固定値とすると、基地局の無線通信が可能なエリアが狭まる場合という課題がある。そのような例を以下に示す。
（１）受信ＡＧＣフルゲイン固定
１：１接続時にセルエッジ（通信セルの境界付近）で接続していた端末局は接続可能であり、遠距離の接続可能エリアとしては変わらない。しかし、基地局直下の端末局からの送信波が過入力になり接続不可となる。すなわち、近距離の接続可能エリアが狭まる。端末局が送信電力制御を行っても、一般的に受信ＡＧＣのゲイン幅のほうが送信電力制御ゲイン幅よりも大きいため、近距離の接続可能エリアは受信ＡＧＣゲインを固定すると狭まる。
（２）受信ＡＧＣフルゲイン以外に固定
セルエッジ以外の端末局をターゲットとした受信ＡＧＣゲイン値に固定したとき、１：１接続時にセルエッジで接続できていた端末局の接続が不可となる。【０００８】
本発明は、このような状況に鑑みなされたもので、上記課題を解決することを目的とする。
【課題を解決するための手段】
【０００９】
本発明は、一つの基地局と複数の端末局とがＯＦＤＭＡ方式により１：Ｎ（Ｎは２以上
の自然数）接続可能な無線通信システムであって、前記基地局の無線通信装置は、前記端
末局ごとにフレームを割り当て、前記端末局からの信号を受信する際の受信ＡＧＣのゲイ
ン値をフレーム単位で設定する制御部を備え、前記制御部は、Initial Ranging領域にお
いては前記受信ＡＧＣをフルゲインで待ち受け、接続済み前記端末局からの受信電力にか
かわらず、未接続の前記端末局からのInitial Ranging Codeに対し前記受信ＡＧＣを行う
ことを特徴とする。
本発明は、一つの基地局と複数の端末局とがＯＦＤＭＡ方式により１：Ｎ（Ｎは２以上
の自然数）接続可能な無線通信システムであって、前記基地局の無線通信装置は、前記端
末局ごとにフレームを割り当て、前記端末局からの信号を受信する際の受信ＡＧＣのゲイ
ン値をフレーム単位で設定する制御部を備え、前記制御部は、前記基地局に接続している
前記端末局がデータ通信を行わず、データ通信を行っていない前記端末局に対しデータ通
信用の帯域を割り当てていない場合、Periodic/BR Ranging領域については、前記端末局
に対して固有に割り当てた前記フレームでPeriodic Ranging Codeに対し前記受信ＡＧＣ
を行う。
本発明は、一つの基地局と複数の端末局とがＯＦＤＭＡ方式により１：Ｎ（Ｎは２以上
の自然数）接続可能な無線通信システムであって、前記基地局の無線通信装置は、前記端
末局ごとにフレームを割り当て、前記端末局からの信号を受信する際の受信ＡＧＣのゲイ
ン値をフレーム単位で設定する制御部を備え、前記制御部は、前記基地局に対し複数の端
末局が接続している状態で、接続しているそれぞれの前記端末局に対する前記受信ＡＧＣ
の前記ゲイン値の最大幅が、前記端末局の送信電力制御ダイナミックレンジより小さい場
合、前記受信ＡＧＣの前記ゲイン値を接続している前記端末局中最大の値を全ての前記フ
レームでの固定値として設定し、本来それぞれの前記端末局に設定するはずの前記受信Ａ
ＧＣの前記ゲイン値と前記固定値との差分を、前記端末局の送信電力制御値に反映させる
。
また、前記制御部は、接続した前記端末局に対して割り当てたフレームのタイミングを
、バーストデータ中に定義して送信するよう制御してもよい。
本発明は、基地局として、複数の端末局とＯＦＤＭＡ方式により１：Ｎ（Ｎは２以上の
自然数）接続可能な無線通信装置であって、前記端末局ごとにフレームを割り当て、前記
端末局からの信号を受信する際の受信ＡＧＣのゲイン値をフレーム単位で設定する制御部
を備え、前記制御部は、Initial Ranging領域においては前記受信ＡＧＣをフルゲインで
待ち受け、接続済み前記端末局からの受信電力にかかわらず、未接続の前記端末局からの
Initial Ranging Codeに対し受信ＡＧＣを行う。
本発明は、基地局として、複数の端末局とＯＦＤＭＡ方式により１：Ｎ（Ｎは２以上の
自然数）接続可能な無線通信装置であって、前記端末局ごとにフレームを割り当て、前記
端末局からの信号を受信する際の受信ＡＧＣのゲイン値をフレーム単位で設定する制御部
を備え、前記制御部は、前記基地局に接続している前記端末局がデータ通信を行わず、デ
ータ通信を行っていない前記端末局に対しデータ通信用の帯域を割り当てていない場合、
Periodic/BR Ranging領域については、前記端末局に対して固有に割り当てた前記フレー
ムでPeriodic Ranging Codeに対し前記受信ＡＧＣを行う。
本発明は、基地局として、複数の端末局とＯＦＤＭＡ方式により１：Ｎ（Ｎは２以上の
自然数）接続可能な無線通信装置であって、前記端末局ごとにフレームを割り当て、前記
端末局からの信号を受信する際の受信ＡＧＣのゲイン値をフレーム単位で設定する制御部
を備え、前記制御部は、前記基地局に対し複数の端末局が接続している状態で、接続して
いるそれぞれの前記端末局に対する前記受信ＡＧＣの前記ゲイン値の最大幅が、前記端末
局の送信電力制御ダイナミックレンジより小さい場合、前記受信ＡＧＣの前記ゲイン値を
接続している前記端末局中最大の値を全てのフレームでの固定値として設定し、本来それ
ぞれの前記端末局に設定するはずの前記受信ＡＧＣの前記ゲイン値と前記固定値との差分
を、前記端末局の送信電力制御値に反映させる。
【発明の効果】
【００１０】
本発明によると、ＯＦＤＭＡ方式の無線通信において、１：Ｎ接続時の通信エリア縮小化を抑制することができる。
【図面の簡単な説明】
【００１１】
【図１】実施形態に係る、ＯＦＤＭＡ方式の無線通信システムのブロック図である。
【図２】実施形態に係る、フレームごとに端末局が割り当てられている例を示した図である。
【図３】実施形態に係る、全てのフレームのデータバースト領域に対して第１端末局が割り当てられている例を示した図である。
【図４】実施形態に係る、ＡＧＣゲインと送電電力ゲインの制御例を示した図である。
【図５】背景技術に係る、ＯＦＤＭＡ方式の一般的な無線通信装置の無線受信ブロック図である。
【図６】背景技術に係る、ＯＦＤＭＡ方式の一般的なフレーム構成図である。
【発明を実施するための形態】
【００１２】
次に、本発明を実施するための形態（以下、単に「実施形態」という）を、図面を参照して具体的に説明する。
【００１３】
図１は、本実施形態に係るＯＦＤＭＡ方式の無線通信システム１のブロック図であり、無線通信装置１０の受信部ブロックに着目して示している。図２及び図３は無線通信システム１によるフレーム構成例を示す図である。特に図２は、フレームごとに端末局９０が割り当てられている例を示している。図３では、第１フレームＦＬ１に第１端末局９１、第２フレームＦＬ２に第２端末局９２、第３フレームＦＬ３に第３端末局９３が割り当てられる。図３は全てのフレームのデータバースト領域に対して第１端末局９１が割り当てられている例を示している。
【００１４】
図１に示すように、無線通信システム１は、基地局である無線通信装置１０と複数の端末局を備え、１：Ｎ接続を行う。ここでは、１：Ｎ接続の具体例として、端末局９０が３台（第１端末局９１、第２端末局９２、第３端末局９３）の１：３接続を例に説明する。
【００１５】
一般に、ＯＦＤＭＡ方式の通信では、上述のように、複数の接続（１：Ｎ接続）の場合、一つのフレームのデータバースト（Data Burst）領域が分割され、各端末局に割り当てられる。一方、本実施形態では、フレームごとに、すなわち時分割で、端末局９０を割り当てる技術を導入する。無線通信装置１０は、端末局９０に対して、ＤＬバースト領域を利用して、各端末局９０に対して割り当てたフレーム番号、より具体的には後述の周期的レンジングのタイミングを通知する。
【００１６】
まず、図２及び図３を参照して、基本的な割り当て処理について説明する。フレームは、無線通信装置１０が端末局９０へ向けて送信されるＤＬサブフレームと、無線通信装置１０が端末局９０から受信するＵＬサブフレームとによって構成されている。
【００１７】
基地局装置である無線通信装置１０と端末局９０との間では、ＵＬサブフレームを用いて信号出力や信号タイミングを同期させるためのレンジングが行われる。ＵＬサブフレームの先頭には、イニシャルレンジング（Initial Ranging）領域が設けられている。このイニシャルレンジング信号では、移動端末がネットワークにエントリする際に行われる。つぎに、接続状態にある端末局９０が周期的に行う周期的レンジング（Periodic Ranging）領域、帯域幅を要求する帯域幅要求レンジング（BR Ranging）領域が設けられており、その後ろにＵＬデータバースト領域が設けられている。
【００１８】
一方、無線通信装置１０から送信されるＤＬサブフレームでは、先頭のシンボルにプリアンブル（Preamble）というシンボルパターンが割り当てられる。端末局９０が無線通信装置１０に初期同期する場合は、周波数をスキャンし、端末局９０がその周辺の基地局すなわち無線通信装置１０の探索を実行した後、このＤＬサブフレーム先頭のプリアンブル信号を取得して無線通信装置１０との下りの同期確立を行う。このプリアンブル信号を使用することにより受信信号強度やなど信号品質の測定が可能となる。
【００１９】
プリアンブル信号の次にはフレーム制御ヘッダ情報（ＦＣＨ）が送信される。フレーム制御ヘッダ情報（ＦＣＨ）には、フレーム制御ヘッダ以降に送信されるデータバーストの割り当て状況（変調方式やバーストの長さ等）が含まれる。
【００２０】
フレーム制御ヘッダ情報（ＦＣＨ）の次に、マッピング情報（ＭＡＰ）が送信される。マッピング情報には、基地局装置である無線通信装置１０から周期的に送信される基地局情報など、基地局装置がカバーするエリア全てに共通に報知される情報が含まれる。端末局９０は、この報知情報を取得することによりネットワークへのアクセス可否を判断する。上記マッピング情報に続いてＤＬバーストデータが送信される。
【００２１】
図１を参照して、無線通信装置１０の具体的な構成について説明する。無線通信装置１０は、アンテナ１５と、ＲＦ部２０と、ベースバンド部３０と、を備える。
【００２２】
ＲＦ部２０は、アンテナ１５側から、ＢＰＦ２３、ＡＴＴ／ＡＭＰ２２と、ＬＰＦ２１とを備える。アンテナ１５で受信された信号（ＤＬサブフレーム）は、ＢＰＦ２３、ＡＴＴ／ＡＭＰ２２、ＬＰＦ２１を介して、ベースバンド部３０へ出力される。一方、ベースバンド部３０で生成された信号（ＵＬサブフレーム）は、ＬＰＦ２１、ＡＴＴ／ＡＭＰ２２、ＢＰＦ２３を介してアンテナ１５から送信される。ここでは、主に受信機能について説明する。
【００２３】
ＡＴＴ／ＡＭＰ２２は、後述する制御部３１からＡＧＣゲイン値を取得し、その値をもとにフレームごとに受信ゲインを制御する。その結果、各端末局９０に対し１：１接続時と同様なエリアを確保することができる。
【００２４】
ベースバンド部３０は、制御部３１と、ＡＤＣ３２と、ＳＷ３３と、受信電力算出部３４と、ＡＧＣゲイン値格納メモリ５０と、ＡＧＣゲイン値格納メモリ５０とを備える。
【００２５】
制御部３１は、各構成要素を統括制御するとともに、ＳＷ３３の選択動作や、ＡＴＴ／ＡＭＰ２２へのＡＧＣゲイン値の指示、ＡＧＣゲイン値格納メモリ５０へのＡＧＣゲイン値の記憶指示を行う。
【００２６】
ＡＤＣ３２は、ＲＦ部２０から出力されるアナログ信号をデジタル信号に変換し、ＳＷ３３を介して受信電力算出部３４へ出力する。
【００２７】
受信電力算出部３４は、Initial Ranging Symbol部３６と、Periodic/BR Ranging Symbol部３７と、Data Burst部３８とを備える。
【００２８】
Initial Ranging Symbol部３６は、ＤＬサブフレームのイニシャルレンジング領域を参照し、上述のイニシャルレンジングを行う。Periodic/BR Ranging Symbol部３７は、同様に上述した定期イニシャルレンジングや帯域幅要求レンジングを行う。Data Burst部３８は、ＤＬサブフレームのデータバースト領域を参照し、受信電力を特定する。
【００２９】
ＡＧＣゲイン算出部３５は、ＡＴＴ／ＡＭＰ２２における受信ゲインの制御に用いるＡＧＣゲイン値をフレームごとに決定し、制御部３１に通知する。
【００３０】
ＡＧＣゲイン値格納メモリ５０は、第１端末局用領域５１、第２端末局用領域５２、
第３端末局用領域５３、第４端末局用領域５４、・・・とを備え、接続する端末局９０に対応したＡＧＣゲイン値を制御部３１より取得し保存する。例えば、第１端末局用領域５１には第１端末局９１の受信に用いるＡＧＣゲイン値を保存する。第２端末局用領域５２には第２端末局９２の受信に用いるＡＧＣゲイン値を保存する。また、新たに第４端末局（図示せず）との接続が確立された場合、第４端末局の受信に用いるＡＧＣゲイン値が保存される。
【００３１】
次に無線通信装置１０と端末局９０との間の接続シーケンスについて説明する。
（ステップ１Ａ）1台目の端末局９０（例えば第１端末局９１）については、１：１接続時と同様にＤａｔａ  Ｂｕｒｓｔ区間の受信電力をもとにＡＧＣを行い接続される。ＡＧＣゲイン値は、ＡＧＣゲイン値格納メモリ５０（第１端末局用領域５１）に格納される。
（ステップ２Ａ）２台目以降に接続する端末局９０のためにイニシャルレンジング領域の受信ＡＧＣをフルゲインで待ち受ける。
（ステップ３Ａ）新規参入する端末局９０（例えば第２端末局９２）はイニシャルレンジングコードを連続送信する。基地局である無線通信装置１０は、ＡＧＣゲイン値を適切な値に制御し、この値を２台目に接続された端末局９０のＡＧＣゲイン値としてＡＧＣゲイン値格納メモリ５０（第２端末局用領域５２）に格納する。
（ステップ４Ａ）制御部３１は、第２フレームＦＬ２の周期的レンジング領域およびデータバースト領域において、上記ステップ３で算出したＡＧＣゲイン値をＲＦ部２０のＡＴＴ／ＡＭＰ２２にフィードバックする。以降、第２フレームＦＬ２のＵＬデータバースト２の領域の受信電力からＡＧＣゲインを算出する。
（ステップ５Ａ）３台目以降の端末局９０との接続については、ステップ３及びステップ４と同様の処理を行う。
【００３２】
つづいて、図３を参照して、第１〜第３端末局９１〜９３が無線通信装置１０と接続確立したが、第１端末局９１のみがデータ通信を行っている場合について説明する。図に示すように、第２端末局９２と第３端末局９３がデータ通信を行っていない場合、すべてのフレームは第１端末局９１に割り当てられる。
【００３３】
この状態から第２端末局９２と第３端末局９３がデータ通信を再開するシーケンスを説明する。ここで、全てのデータバーストが第１端末局９１に割り当てられていても、接続済の第２端末局９２と第３端末局９３は自分に割り当てられたフレーム番号の周期的／帯域要求レンジング領域において周期的レンジングコード（Periodic Ranging Code）を送信する。無線通信装置１０は、それら周期的レンジングコードから第２端末局９２及び第３端末局９３に対するＡＧＣゲインを適切な値に制御している。
【００３４】
（ステップ１Ｂ）第２端末局９２と第３端末局９３は、自局に割り当てられたフレーム番号における周期的／帯域要求レンジング領域にて、帯域要求レンジングコード（BR Ranging Code）を送信し、帯域要求を行う。周期的レンジングコードで適切なＡＧＣ値に制御されているため、基地局である無線通信装置１０は、帯域要求レンジングコードを問題なく受信することができる。
（ステップ２Ｂ）無線通信装置１０は、第２フレームＦＬ２のデータバースト領域を第２端末局９２に、第３フレームＦＬ３のデータバースト領域を第３端末局９３に割り当てる。
（ステップ３Ｂ）無線通信装置１０は、第２フレームＦＬ２のデータバースト領域において、第２フレームＦＬ２の周期的／帯域要求レンジング領域から算出したＡＧＣゲイン値をＡＴＴ／ＡＭＰ２２にフィードバックする。以降、データバースト領域から算出したＡＧＣゲイン値を用いて、第２端末局９２に対する受信制御を行う。
（ステップ４Ｂ）無線通信装置１０は、第３フレームＦＬ３のデータバースト領域において、第３フレームＦＬ３の周期的／帯域要求レンジング領域から算出したＡＧＣゲイン値をＡＴＴ／ＡＭＰ２２にフィードバックする。以降、データバースト領域から算出したＡＧＣゲイン値を用いて、第３端末局９３に対する受信制御を行う。
【００３５】
なお、ＡＧＣゲインは、上述のように自動制御にフィードバック制御される運用（便宜的に「通常運用」と言う）に限る趣旨ではなく、一定条件のもと基地局受信ＡＧＣ固定とする運用（便宜的に「ＡＧＣ固定運用」という）してもよい。具体的には、無線通信装置１０の制御部３１は、各端末局９０に対する受信ＡＧＣゲインから、基地局受信ＡＧＣ固定および端末局電力制御で通信品質が保たれると判定した場合、つまり、各端末局９０に対する受信ＡＧＣゲイン値の最大幅が送信電力制御ダイナミックレンジより小さい場合、接続されている複数の端末局９０の受信ＡＧＣゲイン値の中で最大の値に固定し、差分を他の端末局９０で送信電力制御を行うことでフレーム内複数バースト割り当てに切り替える。これにより効率良く帯域の割り当てが可能となる。
【００３６】
図４は、そのようなＡＧＣゲインと送電電力ゲインの制御例を示したものである。この例では、通常運用時には、受信側について、第１端末局９１用のＡＧＣゲインが２０ｄＢ、第２端末局９２用のＡＧＣゲインが−５ｄＢ、第３端末局９３用のＡＧＣゲインが−１０ｄＢであって、最大と最小の差が３０ｄＢである。送信側について、第１端末局９１〜第３端末局９３用全ての送信電力ゲインが０ｄＢである。
【００３７】
ここで、ＡＴＴ／ＡＭＰ２２のダイナミックレンジが３０ｄＢ以上ある場合、図示のように、ＡＧＣ固定運用として、第１端末局９１〜第３端末局９３用全てのＡＧＣゲインを最大値である２０ｄＢに固定し、送信電力ゲインを通常運用時の基地局受信ＡＧＣゲイン値の差が反映された値に設定する。具体的には、第１端末局９１用の送信電力ゲインが０ｄＢ、第２端末局９２用の送信電力ゲインが−２５ｄＢ、第３端末局９３用の送信電力ゲインが−３０ｄＢに設定する。なお、端末局９０の移動や受信環境の変化とうによって、ＡＧＣ固定運用が困難な状況になった場合、制御部３１は、通常運用に戻す。このような運用方法を用いることで、省電力と通信品位の確保の両立が可能となる。
【００３８】
さらに別の運用方法として、複数の端末局９０のＡＧＣゲイン値に、近い値のものがあれば、近いＡＧＣゲイン値を有する端末局９０に対して、同じフレームを割り当て、同じＡＧＣゲイン値を用いてもよい。例えば、第１端末局９１用のＡＧＣゲインが１０ｄＢ、第２端末局９２用のＡＧＣゲインが９ｄＢ、第３端末局９３用のＡＧＣゲインが−１５ｄＢの状況を想定する。このとき、第１端末局９１と第２端末局９２のＡＧＣゲインが近い値となっている。そこで、制御部３１は、第１端末局９１と第２端末局９２の各帯域幅の要求が比較的小さく、二つの帯域幅を合わせても１フレームで間に合うと判断した場合、同じＡＧＣゲイン値であって大きい方の値である１０ｄＢを用いて、図６に示したように、データバースト領域を第１端末局９１と第２端末局９２の二つの領域に分割する。第３端末局９３については、ＡＧＣゲイン値が他とは離れているので、一つのフレームが割り当てられる。このような運用を行うことで帯域の有効活用ができる。
【００３９】
以上、本実施形態によると、ＯＦＤＭＡ方式の通信において、１：１接続、１：Ｎ接続にかかわらず同等な通信エリアを構築することができる。また、運用方法を上述のように適宜変更することで、省電力や帯域の有効活用を実現できる。
【００４０】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。
【符号の説明】
【００４１】
１  無線通信システム
１０  無線通信装置
１５  アンテナ
２０  ＲＦ部
２１  ＬＰＦ
２２  ＡＴＴ／ＡＭＰ
２３  ＢＰＦ
３０  ベースバンド部
３１  制御部
３２  ＡＤＣ
３３  ＳＷ
３４  受信電力算出部
３５  ＡＧＣゲイン算出部
３６  Initial Ranging Symbol部
３７  Periodic/BR Ranging Symbol部
３８  Data Burst部
５０  ＡＧＣゲイン値格納メモリ
５１  第１端末局用領域
５２  第２端末局用領域
５３  第３端末局用領域
５４  第４端末局用領域
【図１】
0006498846.tif 000002
【図２】
0006498846.tif 000003
【図３】
0006498846.tif 000004
【図４】
0006498846.tif 000005
【図５】
0006498846.tif 000006
【図６】
0006498846.tif 000007